(57)【要約】【課題】屋根側を屋根シートでカバーする屋根構造において、屋根を簡易に組み立てることができ、しかも、屋根シートの収まり状態に安定の良いスッキリとしたものにすることができる屋根の構造を提供する。【解決手段】周囲に立ち下がり周壁部５ｂを有して下方に開口する浅形ボックス状の屋根シート５が、屋根下地骨組み構造部４に対し、天面部５ａを屋根下地骨組み部４の上面で支え、屋根下地骨組み部４の周囲側面部を前記立ち下がり周壁部５ｂで囲むように嵌め付けられて屋根部３を形成している。屋根下地骨組み構造部４は、複数本の角材６…を水平一方向に向けて並列状態に配列し、平面視方形状にした角材群で構成され、屋根シート５は対応する平面視方形状をして立ち下がり周壁部５ｂが角材群の周囲側面部を囲むように嵌め付けられている。【選択図】      図１
2005009260.tif 000002
【特許請求の範囲】
【請求項１】
周囲に立ち下がり周壁部を有して下方に開口する浅形ボックス状の屋根シートが、屋根下地骨組み構造部に対し、天面部を屋根下地骨組み部の上面で支え、屋根下地骨組み部の周囲側面部を前記立ち下がり周壁部で囲むように嵌め付けられて屋根を形成していることを特徴とする屋根の構造。
【請求項２】
前記屋根下地骨組み構造部が、複数本の角材を特定の水平一方向に向けて並列状態に配列し、平面視方形状にした角材群で構成され、屋根シートは対応する平面視方形状をして立ち下がり周壁部が前記角材群の周囲側面部を囲むように嵌め付けられている請求項１に記載の屋根の構造。
【発明の詳細な説明】
【０００１】
【発明の属する技術分野】
本発明は、簡易組立式家屋等に用いられる屋根の構造に関する。
【０００２】
【従来の技術及び課題】
例えば、一般ユーザーであっても組み立てることができるような簡易組立式の家屋では、屋根についてもそれを簡易に組み立てることができるものでなければならず、そのための方法の一つとして、屋根側を屋根シートでカバーする屋根構造を採用することが考えられるが、その場合に、屋根シートをいかなる態様で組み込めば、安定の良いすっきりとした収まり状態を得ることができるかが問題となる。
【０００３】
本発明は、このような問題背景において、屋根側を屋根シートでカバーする屋根構造において、屋根を簡易に組み立てることができ、しかも、屋根シートの収まり状態に安定の良いスッキリとしたものにすることができる屋根の構造を提供することを課題とする。
【０００４】
【課題を解決するための手段】
上記課題は、周囲に立ち下がり周壁部を有して下方に開口する浅形ボックス状の屋根シートが、屋根下地骨組み構造部に対し、天面部を屋根下地骨組み部の上面で支え、屋根下地骨組み部の周囲側面部を前記立ち下がり周壁部で囲むように嵌め付けられて屋根を形成していることを特徴とする屋根の構造によって解決される。
【０００５】
この屋根構造では、屋根シートが、周囲に立ち下がり周壁部を有して下方に開口する浅形ボックス状をしているので、周囲の立ち下がり周壁部で屋根下地骨組み構造部の周囲側面部を囲むように屋根シートを屋根下地骨組み構造部に嵌め込んでいくだけで、屋根シートは屋根下地骨組み構造部に対して適正な配置関係となって安定の良い設置状態が得られ、屋根部を簡易に組み立てていくことができ、それでいて、屋根シートをスッキリとした収まり状態にすることができる。
【０００６】
上記の屋根下地骨組み構造部が、複数本の角材を特定の水平一方向に向けて並列状態に配列し、平面視方形状にした角材群で構成され、屋根シートは対応する平面視方形状をして立ち下がり周壁部が前記角材群の周囲側面部を囲むように嵌め付けられているとよい。
【０００７】
この場合は、屋根下地骨組み構造部が、複数本の角材の群で構成され、これら角材は一方向に向けられて並列状態に配列されており、しかも、これら角材は水平方向に向けられているので、屋根下地骨組み構造部を複数本の角材を用いて簡易に組み立てていくことができて、屋根下地骨組み構造部分も含めて、屋根部の組立を簡易に行っていくことができる。加えて、屋根下地骨組み構造部は平面視方形状をしており、屋根シートもそれに対応して平面視方形状をしているので、屋根の組立等における屋根シートの取扱いや、屋根シートの製作を容易に行うことができる。
【０００８】
【発明の実施の形態】
次に、本発明の実施形態を図面に基づいて説明する。
【０００９】
図１乃至図４に示す実施形態の簡易組立式家屋において、１は基礎部、２は外壁部、３は屋根部であり、屋根部３は、屋根下地骨組み構造部４と屋根シート５で構成されている。
【００１０】
屋根下地骨組み構造部４は、図１及び図４に示すように、複数本の角材６…の群で構成され、群を構成する各角材６…は、水平一方向に向けられて互いに間隔をおくようにして並列状態に配列され、建物構造部である左右の桁材７，７の上面側にわたされて両端支持状態にされ、屋根下地骨組み構造部４は、これら角材６…の組み合わせによって平面視方形状をしている。本実施形態では、角材６…のわたされる桁材７，７が角材からなっている。なお、群を構成する各角材６…は、木材であってもよいし、角形紙管材や角形木樹脂材あるいは角形樹脂材などであってもよい。
【００１１】
屋根シート５は、天面部５ａが、角材６…の群で構成される屋根下地骨組み構造部４と対応する平面視方形状をしており、天面部５ａの周囲に立ち下がり周壁部５ｂを有して、下方に開口する浅形ボックス状の形態をしている。
【００１２】
屋根部３は、上記のような屋根シート５を用い、その天面部５ａを屋根下地骨組み構造部４の上面で支えさせ、屋根下地骨組み構造部４の周囲側面部を立ち下がり周壁部５ｂに囲ませるようにして屋根下地骨組み構造部４に嵌め付けられている。なお、屋根シート５の不本意な脱落を防ぐため、屋根シート５は面ファスナーなどによって屋根下地骨組み構造部４に連結されているのもよい。
【００１３】
上記の屋根構造によれば、屋根シート５が、周囲に立ち下がり周壁部５ｂを有して下方に開口する浅形ボックス状をしているので、周囲の立ち下がり周壁部５ｂで屋根下地骨組み構造部４の周囲側面部を囲むように屋根シート５を屋根下地骨組み構造部４に嵌め込んでいくだけで、屋根シート５は屋根下地骨組み構造部４に対して適正な配置関係となって安定の良い設置状態となり、屋根部３を簡易に組み立てていくことができ、しかも、屋根シート５をスッキリとした収まり状態にすることができる。
【００１４】
また、本実施形態では、屋根下地骨組み構造部４が、複数本の角材６…の群で構成され、これら角材６…は桁材７，７間を一方向に向けられて並列状態に配列されており、しかも、水平方向に向けられているので、屋根下地骨組み構造部４を複数本の角材６…を用いて簡易に組み立てていくことができ、屋根下地骨組み構造部４も含めて、屋根の組立を簡易に行っていくことができる。更に、屋根下地骨組み構造部４は平面視方形状をしており、屋根シート５もそれに対応して平面視方形状をしているので、屋根の組立等における屋根シート５の取扱いや、屋根シート５の製作を容易に行うことができる。
【００１５】
更に、屋根下地骨組み構造部４は、複数本の角材６…の群で構成され、各角材６…は、水平に向けられ、同じく角材からなる桁材７，７に支えさせる構造となっているので、各角材６…を簡素な構造で安定良く桁材７，７に受けさせることができる。
【００１６】
以上に、本発明の実施形態を示したが、本発明はこれに限られるものではなく、発明思想を逸脱しない範囲で各種の変更が可能である。例えば、上記の実施形態では、屋根下地骨組み構造部として、平面視方形状のものを採用した場合を示しているが、平面形状に制限はなく、平面視円形状であってもよいし、長円形状であってもよいし、三角形状や、五角形以上の多角形状等であってもよいし、台形状であってもよいし、それに対応して屋根シートも屋根下地骨組み構造部の平面形状に対応する各種平面形状をしていてよい。また、屋根下地骨組み構造部は、複数本の角材を特定の水平一方向に向けて並列状態に配列した構造のものに限られるものではなく、屋根シートの周囲立ち下がり部で囲まれるような周囲側面部を備えたものであればよく、上面側は上記の実施形態のように水平であってもよいし、片流れ式や両流れ式のように傾斜したものであってもよいし、一つの屋根に複数の屋根下地骨組み構造部を備えさせ、各屋根下地骨組み構造部に屋根シートを嵌め付けて一つの屋根部を構成するタイプのものであってもよい。
【００１７】
【発明の効果】
本発明は、以上のとおりのものであるから、屋根側を屋根シートでカバーする屋根構造において、屋根を簡易に組み立てることができ、しかも、屋根シートの収まり状態に安定の良いスッキリとしたものにすることができる。
【図面の簡単な説明】
【図１】実施形態の屋根構造を示すもので、屋根シートを分離状態にして示す斜視図である。
【図２】屋根シートの嵌付け状態の斜視図である。
【図３】図（イ）は建物全体の正面図、図（ロ）は屋根シートを分離状態にした屋根部の正面図である。
【図４】屋根下地骨組み構造部の平面図である。
【符号の説明】
３…屋根部
４…屋根下地骨組み構造部
５…屋根シート
５ａ…天面部
５ｂ…立ち下がり周壁部
６…角材
【図１】
2005009260.tif 000003
【図２】
2005009260.tif 000004
【図３】
2005009260.tif 000005
【図４】
2005009260.tif 000006